(57)【要約】  【課題】  データのバックアップの有無を、使用者が容易に認識できるようにする。  【解決手段】  複数の記録媒体の接続が可能な第１および第２の媒体接続手段１１３，１１５と、データを取得するデータ取得手段１００〜１０３と、該取得したデータを第１の媒体接続手段に接続された第１の記録媒体１１４および第２の媒体接続手段に接続された第２の記録媒体１１６のうち一方にのみ記録する第１の記録処理と、該取得したデータを第１および第２の記録媒体の双方に記録する第２の記録処理とを行う記録手段１１２，１１７とを有する。記録手段は、第２の記録処理を行うときは、第１および第２の記録媒体のうち少なくとも一方に、上記取得したデータとともに該データが第２の記録処理で記録されたことを示す情報を記録する。    【選択図】  図４
2005176265.tif 000002
【特許請求の範囲】
【請求項１】
それぞれ記録媒体の接続が可能な第１および第２の媒体接続手段と、
画像データを取得する画像データ取得手段と、
前記取得した画像データを前記第１の媒体接続手段に接続された第１の記録媒体および前記第２の媒体接続手段に接続された第２の記録媒体のうち一方に記録する第１の記録処理と、前記取得した画像データを前記第１および第２の記録媒体の双方に記録する第２の記録処理とを行う記録手段とを有し、
前記記録手段は、前記第２の記録処理を行うときは、前記第１および第２の記録媒体のうち少なくとも一方に、前記取得した画像データとともに該画像データが前記第２の記録処理で記録されたことを示す情報を記録することを特徴とする電子機器。
【請求項２】
前記第１および第２の記録媒体に記録された画像データを再生して出力する出力手段を有し、
該出力手段は、前記記録された画像データとともに前記情報を出力することを特徴とする請求項１に記載の電子機器。
【請求項３】
請求項１又は２に記載の電子機器であって、
被写体像を光電変換する撮像素子を有し、
前記画像データ取得手段は、前記撮像素子を用いて画像データを取得することを特徴とする撮像装置。
【請求項４】
それぞれ記録媒体の接続が可能な第１および第２の媒体接続手段と、
前記第１の媒体接続手段に接続された第１の記録媒体と前記第２の媒体接続手段に接続された第２の記録媒体のうち一方に記録された画像データを他方にダビングするダビング動作が可能な記録手段とを有し、
前記記録手段は、前記ダビング動作を行うときは、前記第１および第２の記録媒体のうち少なくとも一方に、前記画像データがダビングされたものであることを示す情報を記録することを特徴とする電子機器。
【請求項５】
前記第１および第２の記録媒体に記録された画像データを再生して出力する出力手段を有し、
該出力手段は、前記記録された画像データとともに前記情報を出力することを特徴とする請求項３に記載の電子機器。
【請求項６】
請求項４又は５に記載の電子機器であって、
被写体像を光電変換する撮像素子を有し、
前記記録手段は、前記撮像素子を用いて得られた画像データを前記第１および第２の記録媒体のうち少なくとも一方に記録することを特徴とする撮像装置。
【発明の詳細な説明】
【技術分野】
【０００１】
本発明は、複数の記録媒体を接続することができる電子機器および撮像装置に関する。
【背景技術】
【０００２】
複数の記録媒体が取付け可能な撮像装置として、特許文献１にて提案されている電子スチルカメラが知られている。この電子スチルカメラは、２枚以上のカードスペースを有しており、１回の撮影動作に応じて被写体像に対応する１つの画像データを、各カードスペースに取付けられたメモリカードのうちいずれか１つのメモリカードに記録する通常記録モードと、複数のメモリカードに記録する同時記録モードとを有している。
【特許文献１】特開平７−２３１４２０号公報（段落００１９〜００２０、図２等）
【発明の開示】
【発明が解決しようとする課題】
【０００３】
しかしながら、上記電子スチルカメラでは、メモリカードから読み出された画像データをＬＣＤに表示したときに、その画像データが通常記録モードにて撮影した画像か同時記録モードにて撮影した画像かが識別できない。このため、バックアップのない画像データを消去してしまうおそれがある。
【０００４】
そこで、本発明は、画像データのバックアップの有無を使用者が容易に認識できるようにした電子機器および撮像装置を提供することを目的としている。
【課題を解決するための手段】
【０００５】
上記の目的を達成するために、本発明の第１の形態は、それぞれ記録媒体の接続が可能な第１および第２の媒体接続手段と、画像データを取得する画像データ取得手段と、該取得した画像データを第１の媒体接続手段に接続された第１の記録媒体および第２の媒体接続手段に接続された第２の記録媒体のうち一方に記録する第１の記録処理と、該取得した画像データを第１および第２の記録媒体の双方に記録する第２の記録処理とを行う記録手段とを有する。そして、記録手段は、第２の記録処理を行うときは、第１および第２の記録媒体のうち少なくとも一方に、上記取得した画像データとともに該画像データが第２の記録処理で記録されたことを示す情報を記録する。
【０００６】
また、本発明の第２の形態は、それぞれ記録媒体の接続が可能な第１および第２の媒体接続手段と、第１の媒体接続手段に接続された第１の記録媒体と第２の媒体接続手段に接続された第２の記録媒体のうち一方に記録された画像データを他方にダビング（複写）するダビング動作が可能な記録手段とを有する。そして、記録手段は、ダビング動作を行うときは、第１および第２の記録媒体のうち少なくとも一方に、該画像データがダビングされたものであることを示す情報を記録する。
【０００７】
なお、記録媒体には、電子機器に装着可能な半導体メモリ、磁気ディスク、光ディスクや、外部記憶装置（パーソナルコンピュータ等）も含まれる。
【発明の効果】
【０００８】
これら発明によれば、記録した画像データを再生したとき等に、第２の記録処理によって記録された画像であるか否か又はダビングされた画像データか否かを容易に識別できる。したがって、画像データのバックアップの有無を容易に判別でき、バックアップの無い画像データを不用意に消去してしまうというな不都合を解消することができる。
【発明を実施するための最良の形態】
【０００９】
以下、本発明の実施例について図面を参照しながら説明する。なお、以下の実施例では、撮像素子（ＣＣＤセンサ、ＣＭＯＳセンサ等）を用いて画像データを生成する機能を有する装置を撮像装置と呼ぶ。つまり、以下の実施例における撮像装置は、デジタルカメラ、デジタルビデオカメラ、カメラ付き携帯電話等の装置を含む。
【実施例１】
【００１０】
図１および図２は、本発明の実施例１における撮像装置を示す図である。実施例１では、撮像装置がデジタルカメラである場合を説明する。図１は、デジタルカメラの上面の構成を示す図、図２はデジタルカメラの背面の構成を示す図である。
【００１１】
図１および図２において、１は撮像装置、２はファインダー観察用の接眼窓である。３はＡＥ（自動露出）ロックボタン、４はＡＦ（オートフォーカス）の測距点選択ボタンである。５は撮像装置１を縦位置に構えたときに使用する縦位置用ＡＥ（自動露出）ロックボタンで、ＡＥロックボタン３と同一の機能を有する。
【００１２】
６は撮像装置１を縦位置に構えたときに使用する縦位置用の測距点選択ボタンで、測距点選択ボタン４と同一の機能を有する。
【００１３】
７は撮影操作を行なうためのレリーズボタンであり、第１ストローク操作でＳＷ１がＯＮし、第２ストローク操作でＳＷ２がＯＮする構成となっている。
【００１４】
８はメイン電子ダイヤルで、他の操作ボタンと併用して、カメラに数値を入力したり、撮影モードを切り換えたりすることが可能となる。
【００１５】
９は撮影モード選択ボタン、１０はＡＦモード選択ボタンである。１１は測光モード選択ボタンで、調光補正ボタンも兼ねている。
【００１６】
１２は撮影条件等を表示する外部表示機能を備えた液晶表示パネルからなる外部表示器である。なお、外部表示器１２の表示内容については後述する。
【００１７】
１３は外部液晶器１２の裏面に設置されている不図示のバックライト照明装置をオン／オフするための表示パネル照明ボタンである。１４は露出の補正を行なうための露出補正ボタンである。
【００１８】
図２において、１５は不図示のアイピースシャッターを駆動させるための、アイピースシャッターレバーである。このアイピースシャッターレバー１５を時計回り方向に回動させることにより、不図示のアイピースシャッターが接眼窓２を覆い、接眼窓からの光の入射を防ぐことができる。
【００１９】
１６は視度の調整を行なうための、視度補正ダイヤルである。この視度補正ダイヤル１６を回転させることにより、不図示の視度補正レンズが駆動し、視度調整を行なうことができる。
【００２０】
１７はメイン電子ダイヤル８と同様の機能を備えた、サブ電子ダイヤルである。撮影モード選択ボタン９とメイン電子ダイヤル８によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行なうものである。
【００２１】
１８はこのサブ電子ダイヤル１７による入力機能をロックするダイヤルロックスイッチ、１９は本撮像装置の全ての動作を禁止するメインスイッチである。
【００２２】
２０は撮影された画像を表示する際や本撮像装置の設定状態などを表示するＬＣＤ（Liquid Crystal Display）であり、カラー液晶パネルにより構成されている。
【００２３】
なお、本実施例におけるＬＣＤ２０は透過型液晶を用いているため、ＬＣＤ２０の駆動だけでは画像を視認することはできない。このため、その裏面には不図示のバックライト照明が設けられている。
【００２４】
２１は画像を記録するための記録媒体が挿入されているメモリスロットを選択するためのメモリスロット選択ボタンである。メモリスロット選択ボタン２１を押した後、サブ電子ダイヤル１７を回転させることにより、記録媒体の選択を行なうことができる。
【００２５】
２２はカメラの初期設定を行う際に各種モードを選択するためのメニューボタンである。各モードを選択する時は、このメニューボタン２２を押しながらサブ電子ダイヤル１７を回転させて希望のモードを選択する。希望のモードが選択された時、メニューボタン２２を離すと選択が完了する。その後、選択したモードの機能をオン／オフするためには、選択ボタン２３を押しながらサブ電子ダイヤル１７を回転してオン／オフのどちらかを選択後、選択ボタン２３を離すことで選択が完了する。
【００２６】
２４は記録媒体内に記録されている画像ファイルを、ＬＣＤ２０に表示させるためのディスプレイボタンである。ディスプレイボタン２４を押しながらサブ電子ダイヤル１７を回転させることで、画像ファイルが順次ＬＣＤ２０に表示され、希望の画像を選択した後ディスプレイボタン２４を離すことで選択が完了し、ＬＣＤ２０に表示される。
【００２７】
２５は記録媒体に記録されている画像データのファイルを消去するための消去ボタンで、ディスプレイボタン２３とサブ電子ダイヤル１７にて画像を選択した後、消去ボタン２５を押すことで、該画像データの消去が可能である。
【００２８】
２６は撮影した画像ファイルの圧縮率や画像サイズなどを選択する記録画質選択ボタンである。メニューボタン２２とサブ電子ダイヤル１７とで画質変更モードを選択した後、この記録画質選択ボタン２６とサブ電子ダイヤル１７にて希望の圧縮率や画像サイズを選択し、記録画質選択ボタン２６を離すことで選択が完了する。
【００２９】
２７は予め不図示のメモリに記憶されているホワイトバランス調整値を選択するためのホワイトバランス選択ボタンである。メニューボタン２２とサブ電子ダイヤル１７とでホワイトバランス変更モードを選択した後、ホワイトバランス選択ボタン２７とサブ電子ダイヤル１７にて希望のホワイトバランス調整値を選択し、ホワイトバランス選択ボタン２７を離すことで選択が完了する。
【００３０】
２８はメモリスロットカバー開閉つまみで、このメモリスロットカバー開閉つまみ２８を反時計回り方向に回すことで、メモリスロットカバー２９が開放され、記録媒体の装着や中に収納されている記録媒体の取り外しを行なうことが可能となる。
【００３１】
３０はアクセスランプで、装着されている記録媒体に撮影した画像ファイルを書き込む時や、記録媒体に書き込まれた画像ファイルを読み出す場合など、記録媒体にアクセス中であるときに点滅する。
【００３２】
さらに、本撮像装置に搭載されたアクセスランプ３０は、２つの異なる色での発光が可能である。これにより、２つの記録媒体が装着されているときは、アクセスしている記録媒体によってアクセスランプ３０の色を変えることできるので、撮影者はどちらの記録媒体へアクセスしているかを確認することができる。
【００３３】
３１は撮像装置１のグリップ部内に配置されている第１のメモリスロットである。３３は第１のメモリスロット３１に装着されている第１の記録媒体を取り外すために操作される第１のカード取り外しボタンである。
【００３４】
３２は、撮像装置１のグリップ部内に配置されている第２のメモリスロットである。３３は第２のメモリスロット３２に装着されている第２の記録媒体を取り外すために操作される第２のカード取り外しボタンである。
【００３５】
３５は本撮像装置を駆動するための電源電池である。
【００３６】
次に図３を用いて、外部表示器１２の表示内容について説明する。図３において、１２ａは設定されている撮影モードを表示する指標であり、図３においてはマニュアルモード（Ｍ）が設定されている状態を表示している。
【００３７】
１２ｂは、絞り値を表示する７セグメントであり、１２ｃはシャッタースピードを表示する７セグメントである。
【００３８】
１２ｄは撮影可能枚数を表示する７セグメントであり、１２ｈは現在書き込みを行なっているメモリカードを表示する指標である。
【００３９】
なお、本撮像装置においては、コンパクトフラッシュ（登録商標）（以下、ＣＦとも記載する）とＳＤメモリカード（以下、ＳＤとも記載する）の２種類のメモリカードの装着が可能であるように構成されている。そして、両方のメモリカードに対して同様の画像ファイルを同時に記録する「同時記録（複数記録）モード」（第２の記録処理）と、どちらか一方のメモリカードにだけ画像ファイルの記録を行なう「通常記録モード」（第１の記録処理）とを備えている。
【００４０】
「同時記録モード」が選択されているときは、指標１２ｈに「ＣＦ」・「ＳＤ」の両方を表示して、７セグメント１２ｄには、記録できる容量が少ない方のメモリカードの撮影可能枚数を表示する。
【００４１】
また、「通常記録モード」が選択されているときには、指標１２ｈに書き込みを行うメモリカードが表示される（「ＣＦ」・「ＳＤ」のどちらか一方が表示される）。また、そのとき、７セグメント１２ｄには、選択されたメモリカードの撮影可能枚数が表示される。
【００４２】
１２ｅはＡＦモードの状態を表示する指標であり、１２ｆはドライブモードの状態を表示する指標である。１２ｇは露出補正量をドットにて表示する指標であり、１ドットは１／３段を表している。１２ｊは電源電池３５の残り容量の目安を表示する指標であり、１２ｋは測光モードの状態を表示する指標である。
【００４３】
図４には、本実施例の撮像装置の内部構成を示している。本実施例の撮像装置は、不図示のマウントを介して撮像装置１に装着された撮影レンズ１５０を駆動するレンズ駆動回路１２２、メカニカルシャッター回路１２１、固体撮像素子１００、アナログ信号処理回路１０１、Ａ／Ｄ変換器１０２、メイン信号処理回路１０３、メモリ１０８、Ｄ／Ａ変換器１０９、ＬＣＤ２０を駆動する外部映像表示回路１１０、圧縮／解凍回路１１２、メモリカード１１４，１１６を装着するメモリスロット１１３，１１５、コントロール回路１２０およびＣＰＵ（中央演算処理回路）１１７等から構成されている。なお、固体撮像素子１００、アナログ信号処理回路１０１、Ａ／Ｄ変換器１０２およびメイン信号処理回路１０３により、データ取得手段が、圧縮／解凍回路１１２およびＣＰＵ１１７により記録手段が構成される。
【００４４】
１４３はメインスイッチ１９の操作によってオン／オフされるメインスイッチであり、本撮像装置の全ての動作の作動・非作動を設定する。
【００４５】
１４２はダイヤルロックスイッチ１８の操作によってオン／オフされるサブ電子ダイヤルスイッチであり、サブ電子ダイヤル１７による入力機能を作動・非作動を設定する。
【００４６】
１２６はレリーズボタン７の第１ストローク操作によりオンする第１スイッチ（ＳＷ１）である。１２７はレリーズボタン７の第２ストローク操作によりオンする第２スイッチ（ＳＷ２）である。第１スイッチ１２６がオンされると、測光および合焦制御が行われ、第２スイッチ１２７がオンされるとレリーズ動作（撮像および記録動作）が開始される。
【００４７】
１２８はメイン電子ダイヤル８の回転に連動して信号を発生するメイン電子ダイヤルスイッチである。このメイン電子ダイヤルスイッチ１２８は、メイン電子ダイヤル８の回転で、例えば９０°位相のずれた２ビットの信号をスイッチセンス回路に送る。これにより、メイン電子ダイヤル８の回転方向と回転クリック数が検出される。この回転方向と回転クリック数を検出することで、他の操作ボタンと併用して、ＣＰＵ１１７に数値を入力したり、撮影モードを切り換えたりすることが可能となる。
【００４８】
１２９はサブ電子ダイヤル１７の回転に連動して信号を発生するサブ電子ダイヤルスイッチである。このサブ電子ダイヤルスイッチ１２９は、サブ電子ダイヤル１７の回転で、例えば９０°位相のずれた２ビットの信号をスイッチセンス回路に送る。これにより、サブ電子ダイヤル１７の回転方向と回転クリック数が検出される。この回転方向と回転クリック数を検出することで、他の操作ボタンと併用して、ＣＰＵ１１７に数値を入力したり、撮影モードを切り換えたりすることが可能となる。
【００４９】
１４７はＡＥロックボタン３（又は縦位置用ＡＥロックボタン５）を押し込むことによってオンするＡＥ（自動露出）ロックスイッチである。１４８は測距点選択ボタン４（又は縦位置用測距点選択ボタン６）を押し込むことによってオンする測距点選択スイッチである。
【００５０】
１４９は撮影条件等を表示する外部表示機能を備えた外部表示器１２を駆動する外部表示回路である。
【００５１】
ＬＣＤ２０を駆動して撮影画像を表示させる外部映像表示回路１１０には、画像の表示以外にメモリスロット選択ボタン２１、メニューボタン２２、選択ボタン２３、ディスプレイボタン２４の操作に応じて対応するメニュー・設定項目・選択項目等が表示される。
【００５２】
撮影レンズ１５０は、被写体像を撮像素子１００の撮像面に結像させる。本実施例では、撮影レンズ１５０は、撮像装置１に着脱可能に構成されている。なお、図４では簡略化してあるが、撮影レンズ１５０は、１枚または複数枚のレンズで構成され、単一の焦点距離（固定焦点）のレンズでもよいし、ズームレンズやステップズームレンズ等のように焦点距離可変のレンズでもよい。また、本発明は、撮影レンズが撮像装置に一体的（着脱不可）に設けられた撮像装置にも適用することができる。
【００５３】
１２２は撮影レンズ１５０のフォーカス駆動やズーム駆動を行うためのレンズ駆動回路である。１５１は露出制御を行うための絞りである。１２３は絞り１５１を駆動するための絞り駆動回路である。
【００５４】
１４５は撮影モード選択ボタン９を押し込むことによってオンする撮影モード選択スイッチ、１４４はＡＦモード選択ボタン１０を押し込むことによってオンするＡＦモード選択スイッチ、１４６は測光モード選択ボタン１１を押し込むことによってオンする測光モード選択スイッチである。この測光モード選択スイッチ１４６は、調光補正スイッチも兼ねている。
【００５５】
例えば、撮影モード選択ボタン９を押しながらメイン電子ダイヤル８を回転させると、Ｔｖ優先→Ａｖ優先→マニアル→プログラム→Ｔｖ優先→Ａｖ優先→マニアル→プログラム…と撮影モードが変更され、撮影者の意図する撮影モードを設定することができる。
【００５６】
また、メイン電子ダイヤル８を逆回転させたときは、プログラム→マニアル→Ａｖ優先→Ｔｖ優先→プログラム→…とモードは変更される。また、撮影モード選択ボタン９とメイン電子ダイヤル８によりＴｖ優先が撮影モードとして設定されている場合には、メイン電子ダイヤル８を回転させることにより撮影者の希望するＴｖ値を設定することができる。また、撮影モード選択ボタン９とメイン電子ダイヤル８によりＡｖ優先が撮影モードとして設定されている場合には、メイン電子ダイヤル８を回転させることにより撮影者の希望とするＡｖ値を設定することができる。
【００５７】
測光モード選択ボタン１１とＡＦ選択モードボタン１０を同時に押し込んだ状態でメイン電子ダイヤル８を操作すると、撮像時の撮像感度を変更することができる。
【００５８】
測光モード選択ボタン１１と撮影モード選択ボタン９を同時に押し込んだ状態でメイン電子ダイヤル８を操作すると、単写・連写・セルフタイマーの何れかからドライブモードを選択することができる。
【００５９】
撮影モード選択ボタン９とＡＦモード選択ボタン１０を同時に押し込んだ状態でメイン電子ダイヤル８を操作すると、ＡＥＢ（オート露出ブラケット）撮影モードのブラケット段数を設定する事ができる。
【００６０】
１３９は表示パネル照明ボタン１３を押し込むとオンする表示パネル照明スイッチである。この表示パネル照明スイッチ１３９がオンすると、外部表示器１２のバックライト照明が行われ、暗闇でも表示内容を読み取り可能な状態にする。
【００６１】
１３８は露出補正ボタン１４を押し込むとオンする露出補正スイッチである。この露出補正スイッチ１３８をオンした状態でメイン電子ダイヤル８を操作すると、露出補正値を設定することができる。
【００６２】
１３５はメモリスロットカバー２９の開閉に応じてオン／オフするスロットカバー開閉検出スイッチである。１３０はメモリスロット選択ボタン２１を押し込むとオンするスロット選択スイッチである。メモリスロット選択ボタン２１を押し込み、スロット選択スイッチ１３０をオンさせた状態でサブ電子ダイヤル１７を操作することによって、撮像により得られた画像データの保存先・再生データの取得先・データの管理先のメモリスロットを選択することができる。メモリスロット１（１１３）には、メモリカード１（１１４）が着脱自在に装着される。
【００６３】
１３６はスロット１カード検出スイッチで、メモリスロット１（１１３）にメモリカード１（１１４）が装着されたときにオンする。
【００６４】
メモリスロット２（１１５）には、メモリカード２（１１６）が着脱自在に装着される。１３７はスロット２カード検出スイッチで、メモリスロット２（１１５）にメモリカード２（１１６）が装着されたときにオンする。
【００６５】
メニュースイッチ１３１は、メニューボタン２２を押し込むとオンするスイッチである。メニューボタン２２を押し込み、メニュースイッチ１３１をオンし、サブ電子ダイヤル１７を操作することで、設定項目を選択することができる。このときの設定項目の表示は、ＬＣＤ２０にて行なわれる。
【００６６】
ＳＥＬＥＣＴ（選択）スイッチ１３２は、選択ボタン２３を押し込むとオンするスイッチである。選択ボタン２３を押し込み、ＳＥＬＥＣＴ（選択）スイッチ１３２をオンさせ、サブ電子ダイヤル１７を操作することで、メニューボタン２２で選択した設定項目の設定値を変更することができる。このとき、設定項目の設定値の表示は、ＬＣＤ２０にて行われる。
【００６７】
ディスプレイスイッチ１３３は、ディスプレイボタン２４を押し込むとオンするスイッチである。ディスプレイボタン２４を押し込み、ディスプレイスイッチ１３３をオンさせると、ＬＣＤ２０にメモリカードに入っている画像が表示される。
【００６８】
消去スイッチ１３４は、消去ボタン２５を押し込むとオンするスイッチである。ＬＣＤ２０に画像が表示されているときに消去ボタン２５を押し込み、消去スイッチ１３４をオンさせると、表示されている画像データをメモリカード上から削除することができる。また、消去スイッチ１３４をオンさせたままの状態で保持すると、ＬＣＤ２０にメモリカードに保存された画像データを一括消去するかどうか問い合わせるメニューが表示される。このとき、サブ電子ダイヤル１７を操作して、一括消去を選択し、消去ボタン２５を解放して消去スイッチ１３４をオフさせると、メモリカード内の画像データを一括消去することができる。
【００６９】
１２４は測光回路で、不図示のフォーカシングスクリーンに結像された被写体像の輝度を、不図示の光学部材を介して測定する。この測光装置１２４の出力信号に基づいて露光時の露出制御が行われる。
【００７０】
１２５は焦点検出回路で、該焦点検出回路１２５の出力信号に基づいて撮影レンズ１５０のレンズ駆動回路１２２を制御し、撮影レンズ１５０にて焦点調節を行う。
【００７１】
１２１はメカニカルシャッターユニットで、被写体からの光束の撮像面への入射時間を機械的に制御する。このメカニカルシャッターユニット１２１は、ファインダー観察時には被写体光束を遮光し、撮影時にはレリーズ信号に応じて被写体光束の光路から退避して露光を開始させる先羽根群と、ファインダー観察時に被写体光束の光路から退避し、撮影時には先羽根群の走行（駆動）開始後の所定のタイミングで被写体光束を遮光する後羽根群とを有するフォーカルプレーンシャッターである。
【００７２】
１００は固体撮像素子で、撮影レンズ１５０により結像した被写体像を光電変換して電気信号を出力する。この固体撮像素子１００としては、２次元型撮像デバイスが用いられている。この撮像デバイスには、ＣＣＤ型、ＣＭＯＳ型、ＣＩＤ型等、様々な形態があり、いずれの形態の撮像デバイスを採用してもよい。本実施例においては、光電変換素子（フォトセンサ）が２次元的に配置され、各フォトセンサで蓄積された信号電荷が垂直転送路および水平転送路を介して出力されるインターライン型ＣＣＤ（電荷結合素子）の撮像素子が採用されている。
【００７３】
また、固体撮像素子１００は、各フォトセンサに蓄積される電荷の蓄積時間（シャッター秒時）を制御する、いわゆる電子シャッター機能を有している。
【００７４】
撮影レンズ１５０を透過してきた被写体光束は、絞り駆動回路１２３によって駆動される絞り１５１とメカニカルシャッターユニット１２１とでその光量が調整され、固体撮像素子１００上に投影結像される。このとき、固体撮像素子１００は、コントロール回路１２０を介して電荷の蓄積時間が制御される。固体撮像素子１００の受光面（撮像面）に結像した被写体像は、各フォトセンサで光の入射光量に応じた量の信号電荷に変換され、撮像出力信号として順次読み出された後、アナログ信号処理回路１０１に供給される。
【００７５】
アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。
【００７６】
アナログ信号処理回路１０１から出力された信号は、Ａ／Ｄ変換器１０２によってデジタル信号に変換された後、メイン信号処理回路１０３へ送られる。メイン信号処理回路１０３は、ゲイン調整回路１０４、オフセット回路１０５、ヒストグラム生成回路１０７およびデジタル信号処理回路１０６等からなる。Ａ／Ｄ変換器１０２から出力されたデータは、ゲイン調整回路１０４およびオフセット回路１０５を経由して、ヒストグラム生成回路１０７およびデジタル信号処理回路１０６へ送られる。
【００７７】
ヒストグラム生成回路１０７は、Ａ／Ｄ変換器１０２から送られた１画面分のデータから信号レベルに対する撮像出力信号の積算値の分布を示すヒストグラムを作成する。そして、このヒストグラム演算に基づいてゲイン値やオフセット値が決定され、ＣＰＵ１１７からコントロール回路１２０を介してゲインおよびオフセットが制御される。
【００７８】
このように、ゲインとオフセットのコントロールを経由した信号は、デジタル信号処理回路１０６に送られる。デジタル信号処理回路１０６は、輝度（Ｙ）信号生成回路および色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。このメモリ１０８に記憶された画像データはデコードされた後、Ｄ／Ａ変換器１０９でアナログ信号に変換され、外部映像表示回路１１０に供給される。こうして、ＬＣＤ２０には、固体撮像素子１００で捉えた映像が表示される。このＬＣＤ２０には、レリーズボタン７の操作によりオンするレリーズスイッチ（ＳＷ２）１２７によって発せられる撮影開始信号に基づいて撮影した静止画が表示される。
【００７９】
なお、Ｄ／Ａ変換器１０９でアナログ信号に変換された信号は、不図示のビデオ出力端子等から外部映像出力１１１として取り出すことができる。
【００８０】
また、撮影開始信号の入力に応じて取得された撮像画像データは、メモリ１０８から圧縮／解凍回路１１２に導かれ、ここで所定の形式（例えば、ＪＰＥＧ）に従って圧縮処理された後、記録媒体としてのメモリカード１（１１４）もしくはメモリカード２（１１６）に記録される。
【００８１】
なお、本本実施例では、コンパクトフラッシュ（登録商標）、ＳＤメモリカードが記録媒体として用いられるが、スマートメディアやＩＣカード等、種々の形態の記録媒体を使用していもよい。
【００８２】
メモリカード１（１１４）もしくはメモリカード２（１１６）に記録された画像データは、ＣＰＵ１１７を介して読み出しが可能であり、該読み出された画像データは、圧縮／解凍回路１１２で解凍再生処理された後、メモリ１０８、Ｄ／Ａ変換器１０９を介して外部映像表示回路１１０に出力され、ＬＣＤ２０に表示される。また、不図示のビデオ信号出力端子等に供給され、他の外部機器にも出力可能である。
【００８３】
ＣＰＵ１１７は、測光回路１２４、焦点検出回路１２５、コントロール回路１２０、ヒストグラム生成回路１０７、デジタル信号処理回路１０６、メモリ１０８、メモリカード１（１１４）、メモリカード２（１１６）および各スイッチと接続されており、所定のアルゴリズムに従って露出値や撮影レンズ１５０の焦点位置等の各種演算を行ない、自動露光制御、オートフォーカス、オートストロボ、オートホワイトバランス等の制御を総括的に管理する。また、ＣＰＵ１１７は、レリーズボタン７やメイン電子ダイヤル８，サブ電子ダイヤル１７，撮影モード選択ボタン９、ＡＦモード選択ボタン１０および測光モード選択ボタン１１等の操作部から入力される各種信号に基づいて、対応する回路を制御する。
【００８４】
測光回路１２４の出力信号は、ＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行われる。
【００８５】
温度センサ１１９は撮像装置１の温度を測定するセンサである。ブザー１２８は、主に撮影時の警告などに用いられる。
【００８６】
１５２はメモリカード１（１１４）もしくはメモリカード２（１１６）へのアクセス状態を表示するためのＬＥＤであり、２色発光タイプとなっている。これは図２にて示されたアクセスランプ３０に配置されている。
【００８７】
コントロール回路１２０は、ＣＰＵ１１７から送られた露出制御値に基づいて固体撮像素子１００の駆動回路を制御する。具体的には、電子シャッター制御モード時には、固体撮像素子１００の電荷蓄積時間を、メカニカルシャッター制御モード時には、メカニカルシャッターユニット１２１の開閉タイミング等を制御する。また、露光時には、絞り駆動回路１２６を制御する。
【００８８】
次に、図５のフローチャートを用いて、本実施例の撮像装置の動作について説明する。まず、ステップＳ３００において、撮像装置１のメインスイッチ１９がオンされた等の要因によりカメラの電源が入ると、ＣＰＵ１１７は、ステップＳ３０１から動作を開始する。
【００８９】
ステップＳ３０１においては、レリーズボタン７の第１ストローク操作が行われ、レリーズスイッチＳＷ１（１２６）がオンすると、ステップＳ３０２において、測光回路１２４を動作させて被写体からの反射光を取り込み、Ａ／Ｄ変換して測光情報を得る。そして、露出条件（絞り，シャッタースピード）の演算を行なう。
【００９０】
次に、ステップＳ３０３にて、焦点検出モードがオートフォーカスモード（ＡＦ）かマニュアルフォーカスモード（ＭＦ）かを判別し、ＭＦの場合はステップＳ３０５へ進み、ＡＦの場合はステップＳ３０４へ進む。
【００９１】
ステップＳ３０４では、焦点検出回路１２５を用いて各焦点検出領域でのフォーカス情報を算出する。そして、これらのフォーカス情報を基に所定のアルゴリズムでデフォーカス量算出演算を行う。さらに、ＣＰＵ１１７が自動的に又は撮影者が測距点選択ボタン４，６の操作により選択された焦点検出領域でのデフォーカス量に基づきフォーカスレンズの駆動量を演算する。そして、該駆動量をレンズ駆動回路１２２へ通信し、フォーカスレンズを駆動させ、合焦を得る。
【００９２】
そして、次のステップＳ３０５において、カメラの状態がレリーズを許可して良い状態か否かの判別を行う。例えば、ＡＦモードが「ワンショットモード」である場合は、上記ステップＳ３０４での焦点検出結果が合焦ならばレリーズは許可され、ステップＳ３０６へ進む。合焦でない場合はステップＳ３００に戻る。
【００９３】
上記の様にステップＳ３００に戻った後は、必要に応じてモード等の設定を行い、ステップＳ３０１へと進む。そして、レリーズボタン７の第１ストローク操作が行われてレリーズスイッチＳＷ１（１２６）がオンすると、再び測光，ＭＦ／ＡＦ判別，焦点検出を行ない（Ｓ３０２→Ｓ３０３→Ｓ３０４）、再度カメラの状態がレリーズを許可して良い状態か否かの判別を行う（Ｓ３０５）。
【００９４】
次のステップＳ３０６において、レリーズスイッチＳＷ２（１２７）がオンすると、撮像（画像データの取得および記録）動作を行うためにステップＳ３０７に進む。
【００９５】
ステップＳ３０７では、ステップＳ３０２にて算出された露出条件（絞り，シャッタースピード）にて固体撮像素子１００に露光を行なう。そして、ステップＳ３０８に進み、固体撮像素子１００に撮像された画像信号を所定の形態の画像データに変換する。ここで、「通常記録モード」が設定されているときは、記録媒体であるメモリカード１１４，１１６のどちらか一方に画像データを記録する。「同時記録モード」が設定されているときは、画像データとともに、同時記録識別情報（すなわち、同時記録モードで撮像された画像データであることを示す情報）を両方のメモリカード１１４，１１６に記録し、撮像動作を終了する。
【００９６】
なお、同時記録識別情報は、メモリカード１１４，１１６のうちいずれか一方にのみ記録してもよい。
【００９７】
次に、図６のフローチャートを用いて、図５に示した記録動作（ステップＳ３０８）についてさらに詳しく説明する。
【００９８】
図６において、ステップＳ３１０では、ＣＰＵ１１７は、記録モードが「同時記録モード」か「通常記録モード」かを判別する。「通常記録モード」であればステップＳ３１３へ進み、事前に撮影者によりメモリスロット選択ボタン２１およびサブ電子ダイヤル１７によって選択されたメモリスロットに装着されているメモリカードに、取得した画像データを記録する。
また、「同時記録モード」であればステップＳ３１１へ進む。
【００９９】
ステップＳ３１１では、メモリスロット１（１１３）およびメモリスロット２（１１５）にそれぞれメモリカード１（１１４）およびメモリカード２（１１６）が装着されているか否かを判別し、両方装着されていればステップＳ３１２へ進み、どちらか一方しか装着されていないときはステップＳ３１４へ進む。
【０１００】
ステップＳ３１２では、ステップＳ３０７にて取得された画像データと共に、同時記録識別情報（識別データ）を両方のメモリカードもしくは一方のメモリカードに記録する。
【０１０１】
ステップＳ３１４では、「同時記録モード」が選択されているにもかかわらずメモリカードが２枚装着されていない旨の警告表示をＬＣＤ２０を通じて行う。但し、同様の警告を、外部表示器１２や他の警告ランプによって行ってもよい。また、警告の方法として、視覚による警告のみでなく、聴覚や振動による警告でもよい。
【０１０２】
次に、図７のフローチャートを用いて、メモリカードに記録された画像データの再生動作について説明する。
【０１０３】
まずステップＳ４００において、メインスイッチがオンされた等の要因によりカメラの電源が入った状態であり、この状態からディスプレイボタン２４が押されると、ＣＰＵ１１７は、まずステップＳ４０１で、画像再生モードの設定を行う。ここで選択ボタン２３が押されるとステップＳ４０２の設定モードへ、ディスプレイボタン２４が再度押された場合はステップＳ４０３へとそれぞれ進む。
【０１０４】
ステップＳ４０２では、ＬＣＤ２０への表示を制御する画像再生モードを設定する。画像再生モードには、１枚表示する「シングル再生モード」と、複数枚同時に表示する「マルチ再生モード」と、画像データとその画像データの輝度分布を表すヒストグラムとを同時に表示する「ヒストグラムモード」の３つがある。撮影者が選択ボタン２３を押しながらサブ電子ダイヤル１７を回転させて希望の画像再生モードを選択し、選択ボタン２３を離すと、該選択された画像再生モードが設定される。そして、ステップＳ４０３へ進む。なお、画像再生モードの初期設定は、「シングル再生モード」となっている。
【０１０５】
ステップＳ４０３では、画像データがメモリカード１（１１４）またはメモリカード２（１１６）に存在するか否かを判断し、画像データがメモリカード１（１１４）またはメモリカード２（１１６）に存在する場合はステップＳ４０５へ進む。画像データがメモリカード１（１１４）およびメモリカード２（１１６）のいずれにも存在しない場合は、ステップＳ４０４へ進み、ＬＣＤ２０にその旨を示す警告情報を表示させる。
【０１０６】
ステップＳ４０５では、メモリカード１（１１４）またはメモリカード２（１１６）のどちらか一方の画像を表示する。ここで、表示する画像データに対して同時記録識別情報が記録されている場合は、後述する同時記録モードマークも表示させる。これにより、再生画像を見ながら同時にその画像が「同時記録モード」で撮影された画像であること、つまりはバックアップ画像データが存在することを認識することができる。
【０１０７】
なお、メモリカード１（１１４）およびメモリカード２（１１６）の双方が装着されている場合においては、同時記録識別情報が記録されているメモリカード側の画像データを優先して表示するようにしてもよい。以上で画像の再生動作が終了する。
【０１０８】
図８には、前述した各画像再生モードにおけるＬＣＤ２０への表示例を示している。図８（ａ）は「シングル再生モード」にて、図８（ｂ）は「マルチ再生モード」にて、図８（ｃ）は「ヒストグラムモード」にて再生したときの表示例である。
【０１０９】
図８（ａ）〜（ｃ）において、２０１はＬＣＤ２０に再生された画像であり、２０２はシャッタースピード、２０３は絞り値を表している。図８（ａ）〜（ｃ）では、再生画像がシャッタースピード１／２５０秒、絞り値Ｆ５．６にて撮影された画像であることを示している。
【０１１０】
２０４は同時記録モードマークであり、再生画像が「同時記録モード」にて撮影された画像か否かを識別するためのマークである。図８（ａ）〜（ｃ）ではいずれも再生画像が「同時記録モード」にて撮影された画像であることを示している。なお、「通常記録モード」にて撮影された画像を再生したときは、同時記録モードマーク２０４は表示されない。したがって、当該画像データにはバックアップが存在しない可能性があることを使用者は認識することができる。
【０１１１】
２０５は記録画質モードマークであり、再生画像の記録時の画素数と圧縮率とを表している。図８（ａ）〜（ｃ）では、高画素数（Ｆ）で低圧縮率（Ｌ）にて記録された画像であることを示している。
【０１１２】
図８（ｃ）において、２０６は撮影時の撮影モードを示すマーク、２０７は測光モードを示すマーク、２０８はＩＳＯ感度を示すマークである。図８（ｃ）では、絞り優先モード、スポット測光モード、ＩＳＯ感度２００にて撮影された画像であることを示している。
【０１１３】
２０９はホワイトバランスモードを示すマークであり、図８（ｃ）では、撮像出力信号からカメラが自動的にホワイトバランスを設定するオートホワイトバランス（ＡＷＢ）にて画像処理された画像であることを示している。
【０１１４】
２１０のマークは、撮影年月日・撮影時刻を表し、２１１のマークは再生画像のファイル番号を表している。
【０１１５】
２１２のマークは再生画像の明るさの分布を示すヒストグラムである。ヒストグラムとは、横軸に明るさ、縦軸にその明るさの画素数を積み上げたグラフである。ヒストグラム２１２の左に寄るほど暗い画素になり、右に寄るほど明るい画素になる。このヒストグラムを見ることにより、撮影した画像がどの程度の明るさか判断することができる。暗いほうに偏っているようであれば露出補正をプラス補正し、明るいほうに偏っているようであればマイナス補正して再度撮影することで、より良質な画像が得られる。
【０１１６】
なお、本実施例では、「同時記録モード」にて撮影されたか否かの識別の方法として識別マークを表示するようにしているが、表示されている画像の枠の色を変えることで識別してもよい。
【０１１７】
以上の構成により、再生画像が「同時記録モード」にて撮影されたか否かを容易に識別でき、バックアップ画像の有無を認識することができる。また、再生画像の枠の色を、「同時記録モード」にて撮影した画像と、「通常記録モード」にて撮影した画像とで変えるようにしているので、マルチ再生モードのように複数画像が同時に表示されるようなときに、「同時記録モード」で撮影された画像か否かを容易に識別できる。
【実施例２】
【０１１８】
図９には、本発明の実施例２における撮像装置を示すブロック図である。なお、図４と同一又は同様の構成要素には同一符号を付して説明に代える。
【０１１９】
本実施例では、実施例１の構成に加えて、複数のメモリカード間で記録画像データを転送してダビング（複写）を行うダビング制御回路１６０およびダビング操作部１６１を有している。
【０１２０】
ダビング操作部１６１におけるスイッチ操作に応じた指示により、ダビング制御回路１６０は、一方のメモリカードから画像データを読み出し、他方のメモリカードへこれを書き込む。これにより、バックアップ画像データが作成されることになる。
【０１２１】
図１０には、ダビング動作のシーケンスフローチャートを示している。ステップＳ５０１では、ダビング操作部１６１においてダビングを開始させるスイッチが操作されたか否かを判別する。なお、この時点で、ダビング元のメモリカードに記録された画像データの中から、ダビングしたい画像データが使用者により選択され、ＬＣＤ２０に表示されているものとする。スイッチが操作されたときはステップＳ５０２に進む。
【０１２２】
ステップＳ５０２では、ダビング操作部１６１において予め使用者により設定されたダビング元のメモリカード（スロット）とダビング先のメモリカード（スロット）の設定情報を読み込む。ダビング元→ダビング先が、メモリカード１（１１４）→メモリカード２（１１６）の場合はステップＳ５０３に、メモリカード２（１１６）→メモリカード１（１１４）の場合はステップＳ５０４にそれぞれ進む。
【０１２３】
ステップＳ５０３では、メモリカード１（１１４）から、選択された画像データをメモリカード２（１１６）に転送する。これにより、該選択された画像データと同一の画像データがメモリカード２（１１６）に複写される。そして、ステップＳ５０５に進む。
【０１２４】
ステップＳ５０４では、メモリカード２（１１６）から、選択された画像データをメモリカード１（１１４）に転送する。これにより、該選択された画像データと同一の画像データがメモリカード１（１１４）に複写される。そして、ステップＳ５０５に進む。
【０１２５】
ステップＳ５０５では、ダビングされた画像データがダビングされたものであることを示すダビング識別情報を、ダビング元およびダビング先のメモリカードのうち両方又は一方に記録する。そして、本フローを終了する。
【０１２６】
以上説明したダビング処理が行われた画像データをＬＣＤ２０上で表示する際には、ＣＰＵ１１７は、図７に示したフローチャートと同様なフローチャートにしたがって動作する。すなわち、まず画像再生モードの設定を行い（ステップＳ４０１，４０２参照）、各メモリカードに再生すべき画像データが存在するか否かを判別する（ステップＳ４０３参照）。
【０１２７】
再生すべき画像データが存在するときは、その画像データをメモリカードから読み出して、設定された画像再生モードに応じてＬＣＤ２０に表示する（ステップＳ４０５参照）。このとき、再生画像データに対してダビング識別情報が存在するか否かを判別し、前述した図８（ｂ）に示す同時記録モードマーク２０４と同様に、ダビングマーク（図示せず）をＬＣＤ２０に表示する。
【０１２８】
これにより、再生した画像がダビング処理を行った画像か否かが容易に識別でき、バックアップ画像の有無を認識することができる。
【実施例３】
【０１２９】
図１２には、本発明の実施例３における撮像装置１とその外部に設けられた外部記録装置としてのパーソナルコンピュータ４０とをケーブル４１を介して接続した状態を示している。
【０１３０】
また、図１１には、本実施例の撮像装置の一側面の構成を示す図である。図１１において、３６はシンクロ端子であり、シンクロコード付きの外部ストロボユニット（図示せず）と接続することができる。３７はリモコン端子であり、コード付きのリモコンユニット（図示せず）と接続することができる。
【０１３１】
３８はデジタル端子であり、パーソナルコンピュータ４０に繋がるケーブル４１を接続することができる。これらの接続端子は、撮像装置１のグリップ部とは反対側に配置されている。
【０１３２】
図１２において、撮像装置１にて「同時記録モード」が設定されている場合、撮像装置１にて取得された画像データは、撮像装置１に装着されたメモリカードとパーソナルコンピュータ４０内のハードディスク（記録媒体）に、実施例１で説明した同時記録識別情報とともに転送される。これにより、画像データのバックアップデータが作成され、記録される。
【０１３３】
また、撮像装置１にてダビング処理の実行が選択された場合、撮像装置１に装着されたメモリカードおよびパーソナルコンピュータ４０内のハードディスクのうち一方から他方に画像データがダビングされる。またこれとともに、実施例２で説明したダビング識別情報が、メモリカードおよびハードディスクに記録される。
【０１３４】
これらより、画像データのバックアップデータが作成されて記録されるとともに、該画像データを表示したときには、その画像が「同時記録モード」で撮影されたもの若しくはダビングされたものであることを示す表示も行われる。
【０１３５】
なお、本実施例では、ケーブル４１を介して撮像装置１とコンピュータ４０間で通信を行う場合について説明したが、光通信や電波通信等による無線通信を行ってもよい。また、撮像装置とパーソナルコンピュータ以外の外部記録装置とを接続して、画像データや情報の通信を行うようにしてもよい。
【０１３６】
さらに、上記各実施例では、撮像装置について説明したが、本発明は、撮像装置以外の電子機器であって、複数の記録媒体に対するデータ記録やダビング処理を行えるものの全てに適用することができる。
【図面の簡単な説明】
【０１３７】
【図１】本発明の実施例１における撮像装置の上面の構成を示す図である。
【図２】実施例１の撮像装置の背面の構成を示す図である。
【図３】実施例１の撮像装置に設けられた外部表示器１２の表示内容を示す図である。
【図４】実施例１の撮像装置の内部構成を示すブロック図である。
【図５】実施例１の撮像装置の撮像動作を示すフローチャートである。
【図６】実施例１の撮像装置の記録動作を示すフローチャートである。
【図７】実施例１の撮像装置の再生動作を示すフローチャートである。
【図８】実施例１の撮像装置における表示例を示した図である。
【図９】本発明の実施例２における撮像装置の内部構成を示すブロック図である。
【図１０】実施例２の撮像装置の記録動作を示すフローチャートである。
【図１１】本発明の実施例３における撮像装置の一側面の構成を示す図である。
【図１２】実施例３の撮像装置と外部記録装置とを接続した状態を示す図である。
【符号の説明】
【０１３８】
１  撮像装置
７  レリーズボタン
８  メイン電子ダイヤル
１２  外部表示器
１７  サブ電子ダイヤル
２０  ＬＣＤ
２１  メモリスロット選択ボタン
２９  メモリスロットカバー
３０  アクセスランプ
３１  第１のメモリスロット
３２  第２のメモリスロット
４０  ノート型パーソナルコンピュータ
３８  デジタル端子
４１  ケーブル
１００  固体撮像素子
１１４  メモリカード１
１１６  メモリカード２
１１９  温度センサ
１６０  ダビング制御回路
１６１  ダビング操作部
【図１】
2005176265.tif 000003
【図２】
2005176265.tif 000004
【図３】
2005176265.tif 000005
【図４】
2005176265.tif 000006
【図５】
2005176265.tif 000007
【図６】
2005176265.tif 000008
【図７】
2005176265.tif 000009
【図８】
2005176265.tif 000010
【図９】
2005176265.tif 000011
【図１０】
2005176265.tif 000012
【図１１】
2005176265.tif 000013
【図１２】
2005176265.tif 000014